(57)【要約】【課題】錠前装置のカードキースペースの拡大化を図ることで、カードキーの挿入操作性の向上を図ることができ、しかも簡単な構成によってロッカー使用者による扉の閉鎖前の誤施錠を阻止できるようにしたカード式錠前装置を提供する。【解決手段】略中央に矩形状の窓部３を備えた前枠４と、前枠４の背面側に配設された背部ケーシング１と、上方からカードキーａを挿入するカードキー挿入部５と、カードキー挿入部５に隣接配置したシリンダー錠ＱのラッチＬと、ラッチＬの下側に配置したラッチ規制手段Ｐそれぞれを備え、ラッチ規制手段Ｐは、ラッチＬ基部の解錠時用と施錠時用との２つの係合凹部１５ａ，１５ｂに係合する係合板６と、係合板６の下方移動を規制する横スライド式ストッパー７と、ラッチＬの回動を規制する扉開閉検知ラッチ８とを背部ケーシング１内に備える。【選択図】図６
2010248826.tif 000002
【特許請求の範囲】
【請求項１】
略中央に矩形状の窓部を備えた前枠と、前枠の背面側に配設された背部ケーシングとを有し、背部ケーシングには、上方からカードキーを挿入するカードキー挿入部と、カードキー挿入部に隣接配置されたシリンダー錠のラッチと、ラッチの下側に配置されたラッチ規制手段それぞれを備え、ラッチ規制手段は、ラッチ基部の解錠時用と施錠時用との２つの係合凹部に係合する係合板と、係合板の下方移動を規制する横スライド式ストッパーと、ラッチの回動を規制する扉開閉検知ラッチを備えて成ることを特徴とするカード式錠前装置。
【請求項２】
ラッチ規制手段は、ラッチ基部に形成された解錠時用と施錠時用の係合凹部に板バネの弾発力を介して係合されるよう上下方向にスライド自在とした係合板と、カードキー挿入部に対するカードキーの挿脱によって横方向にスライド可能とし、係合板の下方移動を規制する横スライド式ストッパーと、外方への突出移動により係合板の下端部を係止してラッチの回動を阻止し、また内方への退避移動により係合板の下端部の係止を解除してラッチの回動を許容する扉開閉検知ラッチとを備えて成る請求項１記載のカード式錠前装置。
【請求項３】
上方のカードキー挿入部近傍に配され、中央にカード挿入溝を有し且つ水平方向に揺動可能としたカードキーストッパーを備え、解錠方向に立ち上がったラッチによってカードキーストッパーが押圧されることで、カード挿入溝と、背部ケーシング内のカード挿入孔とが合致してカードキー挿脱が可能な状態とし、施錠方向に回動したラッチによってカードキーストッパーの押圧が解除されることで、カード挿入溝がカード挿入孔からずれてカードキー挿入部を閉鎖させ、カードキーの挿脱を阻止するよう形成された請求項１または２記載のカード式錠前装置。
【発明の詳細な説明】
【技術分野】
【０００１】
本発明は、カードキーの差込みにより施錠可能状態にあっても扉開放中は施錠を阻止できるカード式錠前装置に関する。
【背景技術】
【０００２】
従来、例えば、特許文献１に開示されているように、扉の開状態では、キー回動操作による誤施錠を確実に阻止することができるカード式錠前装置が存在する。すなわち、扉の裏面に、錠機構を内臓しかつ一側にカードキーとラッチの出入口を各設けたケーシングを固定し、前記出入口からカードキーを差し込むことにより、前記錠機構に備わっているラッチに対する第１ストッパの係合が外れ、キーの回動操作で当該ラッチをロッカー本体の係止孔へ回動挿入し、施錠が完了するようにしてある。そして、前記ケーシングに、扉の開状態では前記ラッチを係止し、扉の閉鎖によりロッカー本体から押圧力を受けてラッチに対する係止が解除されるようバネ付勢された第２ストッパを設けている。
【０００３】
具体的には、扉の開状態において、ケーシングの横方向からカードキーを差し込ことによって、カードキーは、その後端上縁が第１ストッパ後端の係止片に突き当って当該第１ストッパをバネの付勢力に抗してスライド溝内に沿って後退させる。同時に、先端のピンストッパも後退させられるため、ラッチの係合ピンに対する係合状態が解除される。したがって、シリンダー錠の錠孔に差し込んだキーを回動操作することでラッチは施錠可能な状態となるのであるが、第２ストッパのストッパ部がラッチを係止しているため、扉の開状態では例え第１ストッパが外れてもキー操作により施錠を行なうことはできないものとなっている。
【０００４】
一方、扉を閉鎖すると、第２ストッパの先端部が、ロッカー本体の端面に突き当って押されるため、コイルバネの付勢力に抗してケーシングの内側から外側へ回動する。つまり、第２ストッパの先端部は、扉とロッカー本体とにより狭持されつつ扉の閉状態を維持する。このようにして第２ストッパの先端部が、支持板の軸支片間に掛け渡された支軸を支点として扉側へ回動することでラッチに対するストッパ部による係止状態が解除される。したがって、シリンダー錠のラッチは、第１ストッパに続いて第２ストッパからも外れるため、扉の閉鎖と共にキーの回動操作によりラッチが回動してロッカー本体の係止孔内に挿入され、施錠が完了するものとなっている。
【０００５】
また、特許文献２に開示されているように、ミス操作を防止できて、閉扉および施錠を容易迅速に行ない得る錠前装置が存在する。すなわち、この錠前装置は、図１１乃至図１３に示すように、扉の取付孔に外ケースを嵌合して固定した取付ケースと、外ケースに嵌合して錠本体を固定する内ケースと錠本体の回転軸後端に固定した施錠・開錠用ラッチとを備えている。そして、内ケース後端のフランジにスライド自在に、かつバネにてラッチ外周面側へ押圧する方向へ付勢して係合板を配置し、取付ケースに、後端を開口部に、係合片と係止面を、側壁に挿入口を各設けた凹溝を前後方向に形成し、凹溝には、後端を円弧面に、一側に係合板と係脱自在な側壁と、この側壁に前後方向に長い係合板の挿入凹部を各設けた扉開・閉検知ラッチを、圧縮バネにて後方へ付勢して前後方向へ摺動自在に嵌合して構成している。
【先行技術文献】
【特許文献】
【０００６】
【特許文献１】特開２００３−２０６６５３号公報
【特許文献２】特開２００３−３１４１１１号公報
【発明の概要】
【発明が解決しようとする課題】
【０００７】
しかしながら、従来における特許文献１の場合は、カードキーをケーシングの横方向（ラッチの位置する側）から挿入し、当該カードキーを錠機構背面側に配置させるものとしたシステムであることから、カード式錠前装置のカードキースペースが狭くなる。また、第２ストッパの先端部が、支持板の軸支片間に掛け渡された支軸を支点として扉側へ回動することでラッチに対するストッパ部による係止状態が解除させることから、狭いケーシング内での第２ストッパの配置構造が複雑化し、しかもカードキーの挿入操作性も低下してしまう等の問題があった。
【０００８】
また、特許文献２においては、扉開・閉検知ラッチを手操作によって押圧することから、操作性が劣るものとなっている。
【０００９】
そこで、本発明は、叙上のような従来存した諸事情に鑑み案出されたもので、錠前装置のカードキースペースの拡大化を図ることで、カードキーの挿入操作性をさらに向上させることができ、しかも簡単な構成によってロッカー使用者による扉の閉鎖前の誤施錠を阻止できるようにしたカード式錠前装置を提供することを目的とする。
【課題を解決するための手段】
【００１０】
上述した課題を解決するために、本発明にあっては、略中央に矩形状の窓部を備えた前枠と、前枠の背面側に配設された背部ケーシングとを有し、背部ケーシングには、上方からカードキーを挿入するカードキー挿入部と、カードキー挿入部に隣接配置されたシリンダー錠のラッチと、ラッチの下側に配置されたラッチ規制手段それぞれを備え、ラッチ規制手段は、ラッチ基部の解錠時用と施錠時用との２つの係合凹部に係合する係合板と、係合板の下方移動を規制する横スライド式ストッパーと、ラッチの回動を規制する扉開閉検知ラッチを備えて成ることを特徴とする。
【００１１】
ラッチ規制手段は、ラッチ基部に形成された解錠時用と施錠時用の係合凹部に板バネの弾発力を介して係合されるよう上下方向にスライド自在とした係合板と、カードキー挿入部に対するカードキーの挿脱によって横方向にスライド可能とし、係合板の下方移動を規制する横スライド式ストッパーと、外方への突出移動により係合板の下端部を係止してラッチの回動を阻止し、また内方への退避移動により係合板の下端部の係止を解除してラッチの回動を許容する扉開閉検知ラッチとを備えて成る。
【００１２】
上方のカードキー挿入部近傍に配され、中央にカード挿入溝を有し且つ水平方向に揺動可能としたカードキーストッパーを備え、解錠方向に立ち上がったラッチによってカードキーストッパーが押圧されることで、カード挿入溝と、背部ケーシング内のカード挿入孔とが合致してカードキー挿脱が可能な状態とし、施錠方向に回動したラッチによってカードキーストッパーの押圧が解除されることで、カード挿入溝がカード挿入孔からずれてカードキー挿入部を閉鎖させ、カードキーの挿脱を阻止するよう形成されている。
【発明の効果】
【００１３】
本発明によれば、錠前装置のカードキースペースの拡大化を図ることで、カードキーの挿入操作性をさらに向上させることができ、しかも簡単な構成によってロッカー使用者による扉の閉鎖前の誤施錠を阻止できるようにしたカード式錠前装置を提供することができる。
【００１４】
すなわち、略中央に矩形状の窓部を備えた前枠と、前枠の背面側に配設された背部ケーシングとを有し、背部ケーシングには、上方からカードキーを挿入するカードキー挿入部と、カードキー挿入部に隣接配置されたシリンダー錠のラッチと、ラッチの下側に配置されたラッチ規制手段それぞれを備えて成るので、錠前装置のカードキースペースの拡大化が図れ、カードキーの挿入操作性をさらに向上させることができる。
【００１５】
ラッチ規制手段は、ラッチ基部に形成された解錠時用と施錠時用との２つの係合凹部に板バネの弾発力を介して係合されるよう上下方向にスライド自在とした係合板と、カードキー挿入部に対するカードキーの挿脱によって横方向にスライド可能とし、係合板の下方移動を規制する横スライド式ストッパーと、外方への突出移動により係合板の下端部を係止してラッチの回動を阻止し、また内方への退避移動により係合板の下端部の係止を解除してラッチの回動を許容する扉開閉検知ラッチとを備えて成るので、係合板、横スライド式ストッパー、扉開閉検知ラッチという３つの簡単な構成によってロッカー使用者による扉の閉鎖前の誤施錠を阻止することができる。
【００１６】
上方のカードキー挿入部近傍に配され、中央にカード挿入溝を有し且つ水平方向に揺動可能としたカードキーストッパーを備え、解錠方向に立ち上がったラッチによってカードキーストッパーが押圧されることで、カード挿入溝と、背部ケーシング内のカード挿入孔とが合致してカードキーの挿脱を許容させ、施錠方向に回動したラッチによってカードキーストッパーの押圧が解除されることで、カード挿入溝がカード挿入孔からずれてカードキー挿入部を閉鎖させ、カードキーの挿脱を阻止するよう形成されているので、簡単な構成によって、施錠中のカードキーを確実に抜けないようにすることができる。
【図面の簡単な説明】
【００１７】
【図１】本発明を実施するための一形態を示すもので、（ａ）はカード式錠前装置の正面図、（ｂ）は同じく（ａ）のＸ−Ｘ断面図、（ｃ）は（ａ）のＹ−Ｙ断面図である。
【図２】同じくカード式錠前装置の背面図である。
【図３】同じくカード式錠前装置にカードキーを挿入する例を示す縦断面図である。
【図４】同じく開扉解錠状態のカード式錠前装置を示す説明図である。
【図５】同じく開扉解錠状態でカードキーを挿入した状態のカード式錠前装置を示す説明図である。
【図６】同じくカードキーを挿入し、閉扉して、キーを施錠方向に回動させる状態のカード式錠前装置を示す説明図である。
【図７】同じくシリンダー錠と係合板との分解状態の斜視図である。
【図８】同じく係合板と横スライド式ストッパーとの配置関係を説明するもので、（ａ）は横スライド式ストッパーによって係合板の下方移動を規制している状態の斜視図、（ｂ）は横スライド式ストッパーによって係合板の下方移動を許容している状態の斜視図である。
【図９】同じく扉開閉検知ラッチの構成例を示す分解斜視図である。
【図１０】同じくカードキーストッパーの具体的構成を示し、（ａ）はカードキーが挿脱可能な状態となっている場合の平面図、（ｂ）カードキーが挿脱不可能な状態となっている場合の平面図である。
【図１１】従来例におけるカード式錠前装置の解錠状態を示す背面図である。
【図１２】同じく図１１におけるＡ−Ａ線矢視拡大縦断面図である。
【図１３】同じく施錠状態を示す拡大縦断面図である。
【発明を実施するための形態】
【００１８】
以下、図面を参照して本発明の実施の一形態を詳細に説明する。
本発明のカード式錠前装置は、図１乃至図６に示すように、略中央に矩形状の窓部３を備えた前枠４と、前枠４の背面側に配設された背部ケーシング１とを有し、前記背部ケーシング１内において、カードキーストッパー９を上方のカード挿入孔５ａ内側に備えたカードキー挿入部５と、カードキー挿入部５に隣接して配置された略Ｌ字型鈎状のラッチＬを備えたシリンダー錠Ｑと、ラッチＬの回動を規制するためにシリンダー錠Ｑ下方に備えられ、ラッチＬ係止用の係合板６、係合板６の下方移動規制用の横スライド式ストッパー７、横スライド式ストッパー７下方に配した扉開閉検知ラッチ８それぞれを備えて成るラッチ規制手段Ｐとから概ね構成されている。
【００１９】
図１（ａ）乃至図１（ｃ）に示すように、背部ケーシング１と前枠３は、開閉扉の開放縁部側に形成された開口部に背面側から取付ベース２を介して取り付けられる。この取付ベース２の背面側に、図４乃至図６に示すように、前記カードキー挿入部５、シリンダー錠ＱのラッチＬ、ラッチ規制手段Ｐそれぞれが隣接した状態で配されている。
【００２０】
而して、図１（ａ）乃至図１（ｃ）に示すように、背部ケーシング１内のカードキー挿入部５に対応して、取付ベース２の略中央には、カードキーａの片面を外側から視認できるようにするため、透明プラスチック製の枠板で覆った矩形状の窓部３が形成されている。
【００２１】
また、この窓部３に隣接して、前枠４および取付ベース２それぞれには、円筒状のシリンダー錠Ｑを嵌め込むための円形の開口部が形成されている。そして、シリンダー錠Ｑのキー孔Ｋ側が前枠４の開口部を通じて前方に露出し、シリンダー錠ＱのラッチＬが取付ベース２の開口部背面に配置されている。
【００２２】
図１（ｂ）および図１（ｃ）に示すように、背部ケーシング１の上壁部には、カードキー挿入部５としてスリット状のカード挿入孔５ａが設けられ、その背面側中央の一部が横長Ｕ字状に抉られており、挿入されたカードキーａのカード挿入孔５ａからの取り出しが容易に行えるものとなっている。また、開閉扉の開放縁部側に面する背部ケーシング１の側壁部には、ラッチＬの出入口が凹欠状に形成され、回動するシリンダー錠ＱのラッチＬがこの出入口を介して側方に突出できるようにしてある。さらに、このラッチＬ用の出入口の下方側には、扉開閉検知ラッチ８を扉側方へ突出させるための扉開閉検知ラッチ８用の出入口が凹欠状に形成されている。
【００２３】
図２および図３に示すように、背部ケーシング１の背面部下側には、カードキー挿入部５に対応して、例えば、５つのネジ孔１１ａ、１１ｂ、…１１ｅが等間隔に形成され、これらネジ孔１１ａ、１１ｂ、…１１ｅの一つにネジ１２をねじ込んである。そして、カードキーａの下端縁部にはこのネジ１２のねじ込み位置に対応して略円弧状の凹溝１３が形成されている。
【００２４】
これによって、正規のカードキーａがカードキー挿入部５の挿入孔５ａに挿入された場合には、当該カードキーａの凹溝１３にネジが係入されることで、カードキーａは最大降下位置に至るものとなる。一方、ネジ１２の位置に対応しない凹溝１３を備えた非正規のカードキーａをカードキー挿入孔５ａに挿入された場合には、ネジ１２によってカードキーａの下端縁部が係止され、カードキーａは最大降下位置に挿入されないものとなっている。尚、カードキーａとして、下端縁部に凹溝１３を有しない形状のものを採用してもよいことは勿論である。
【００２５】
シリンダー錠Ｑは、閉扉の状態において、キー孔Ｋに不図示のキーを差し込み施錠方向に回動した際には、後述するラッチ規制手段Ｐの動作に基づいてラッチＬが扉側方へ回動され、ロッカー本体の扉枠に形成されているラッチ孔へ挿入されて施錠が完了しするものとなっている。このとき、キーはキー孔Ｋから抜き出せるようになっている。
【００２６】
また、キー孔Ｋにキーを差し込み、後述するラッチ規制手段Ｐの動作に基づいて解錠方向にキーを回動して開扉状態とすることができるが、このときにはキーの紛失防止のためにキーはキー孔Ｋから抜くことができないようになっている。
【００２７】
次に、ラッチ規制手段Ｐの具体的な構成例について図４乃至図９に基づいて詳細に説明する。
先ず、ラッチＬは取付ベース２の開口部に台座Ｓを介して回動自在に配されており、台座Ｓの裏面下方には縦長状のスライド溝１３ａが形成され、このスライド溝１３ａに対応した台座Ｓの下縁は係合板６の出入口が凹欠状となって形成されている（図７参照）。
【００２８】
すなわち、ラッチＬ係止用の係合板６は、図７に示すように、略縦長矩形状の駒型に形成されており、この片面中央に突設した係合突起６ｄが前記台座Ｓの縦長状のスライド溝１３ａに嵌り込んで上下方向にスライドできるようになっている。
【００２９】
そして、係合板６の一側面（カードキー挿入部５に向く側面）における上方側には、コ字型の溝部６ａが形成され、台座Ｓの下方端側に突設された軸部１３ｂに略Ｕ字状に巻回された板バネ１４の一端がこの溝部６ａに係合され、板バネ１４の他端は軸部１３ｂを囲む台座Ｓ内壁面によって係止されている。これによって、係合板６は板バネ１４の弾発力により常時上方向へ付勢保持される。
【００３０】
また、係合板６の上部角側には傾斜状となった上端係合部６ｂが形成されており、ラッチＬ基部の９０°間隔毎に形成された施錠時用と解錠時用の２つの係合凹部１５ａ、１５ｂに前記板バネ１４の弾発力によって圧接状に係合されるようになっている。
【００３１】
この２つの係合凹部１５ａ、１５ｂのうち、ラッチＬ突出方向に対して１８０°側に位置する係合凹部１５ｂは解錠用であり、ラッチＬ突出方向に対して９０°側に位置する係合凹部１５ａは施錠用である。
【００３２】
さらに、係合板６の他側面（扉側方に向く側面）における下方角側には、Ｌ字切欠状の下端係合部６ｃが形成されており、カードキー挿入部５の挿入孔５ａにカードキーａが挿入されていないときには、後述する横スライド式ストッパー７の凹欠状の出入口における内側縁部の一方に下端係合部６ｃが係止されることで、ラッチＬが回動できないようになっている。
【００３３】
図８（ａ）および図８（ｂ）に示すように、係合板６の下方移動を規制するための横スライド式ストッパー７は、傾斜状の角部７ａを介して下方に向く一端アーム７ｂ側が幅長で短く、横方に向く他端アーム７ｃ側が細長となっている。この他端アーム７ｃ側の長手方向に沿って突設した係合突起７ｄが、台座Ｓの横長となった不図示のスライド溝に嵌り込んで左右方向にスライドできるようになっている。
【００３４】
また、横スライド式ストッパー７の横方に向く他端アーム７ｃ側における手前側面には、係合板６用の出入口７ｅが凹欠状に形成されている。この出入口７ｅは、略中間に位置する段差を介して、係合板６の幅狭の下端部および幅広の中間部（下端係合部６ｃ位置よりも上側）が出入できるようになっている。
【００３５】
そして、横スライド式ストッパー７の下方に向く一端側内面は、取付ベース２に取り付けられたＬ字板状の係止板１６と一体となって配されているコイルスプリング１７を介して連結されており、横スライド式ストッパー７自体をカードキー挿入部５の挿入孔５ａ側へ向けて付勢している。
【００３６】
このとき、図４に示すように、横スライド式ストッパー７の凹欠状の出入口７ｅにおける先端方向に位置する内側縁部に係合板６の下端係合部６ｃが係止され下方移動が規制されることで、シリンダー錠Ｑのキー孔Ｋに差し込まれたキーを施錠方向に回してもラッチＬが回動できないようにしている。
【００３７】
また、図８（ｂ）に示すように、カードキー挿入部５の挿入孔５ａにカードキーａが挿入された際には、当該カードキーａの下端側角部が横スライド式ストッパー７の傾斜状の角部７ａを圧接し、横スライド式ストッパー７自体をコイルスプリング１７の弾発力に抗して外側の扉側方に向けてスライドさせるものとなっている。
【００３８】
そして、この横スライド式ストッパー７の移動により、当該横スライド式ストッパー７の出入口７ｅにおける内側縁部と係合板６の下端係合部６ｃとの係合が外れ、係合板６の幅広の中間部（下端係合部６ｃ位置よりも上側）を出入口７ｅの下方側に移動できるようにしている。
【００３９】
横スライド式ストッパー７の下方に配した扉開閉検知ラッチ８は、図９に示すように、平面船底型に形成され、背部ケーシング１の側面に凹欠状に形成された出入口１ａに、コイルバネ１８を介して挿入されている。すなわち、扉開閉検知ラッチ８は、上面側に凹溝部８ａが形成され、その中央は後方および上下方向にわたって開放されている。
【００４０】
また、開放部分に後方側からコイルバネ１８が挿入され、開放部分内奥部から後方に向けて形成された突起８ｂと、背部ケーシング１の出入口内奥部から外方に向けて突設した突起１ａとによってコイルバネ１８が係止された状態で介装される。
【００４１】
さらに、扉開閉検知ラッチ８の凹溝部８ａに対向する他側面に外方に向けて湾曲して成る係止爪１８ｂが設けられており、扉開閉検知ラッチ８が外方へ移動しても、この係止爪１８ｂが背部ケーシング１背面に形成された係止孔１８ｃに係合されることで、背部ケーシング１側面の出入口から扉開閉検知ラッチ８が抜脱されないようになっている。
【００４２】
図５および図８（ｂ）に示すように、カードキー挿入部５の挿入孔５ａにカードキーａが挿入されて係合板６の幅広の中間部（下端係合部６ｃよりも上側）を横スライド式ストッパー７の出入口７ｅの下方側に移動した際においても、扉開閉検知ラッチ８が内側に移動しない限り、この凹溝部８ａ後方の上壁面に、係合板６の下端部が係止されてラッチＬが回動しないものとなっている。
【００４３】
一方、扉開閉検知ラッチ８がコイルバネ１８の弾発力に抗して内側に退避移動した際には、係合板６の幅狭の下端部（下端係合部６ｃよりも下側）が扉開閉検知ラッチ８の凹溝部８ａに係入可能となるから、ラッチＬ基部の９０°間隔毎に形成された２つの係合凹部１５ａ、１５ｂ間での回動が自由に行えるものとなっている。
【００４４】
カード挿入孔５ａ内側に備えたカードキーストッパー９は、図１０（ａ）および図１０（ｂ）に示すように、カードキーａの厚み分に相当する幅のカード挿入溝９ａを中央に有する板材によって形成されており、その基部が、取付ベース２に固定されている支持板１９の一端から前方に突出したアーム部１９ａ先端に支持軸２０を介して取り付けられていることで、カードキーストッパー９自体が水平方向に揺動可能となっている。このとき、支持軸２０にはツル巻バネ２１の中間コイル部分が巻装され、コイル一端側がアーム部１９ａの側面に掛架され、コイル他端側がカードキーストッパー９の基部側に形成した不図示の係止孔に係架されている。
【００４５】
そして、図４、図５および図１０（ａ）に示すように立ち上がっているラッチＬ背面部によってカードキーストッパー９が押圧されることで自体が外側方向に揺動し、カードキーストッパー９のカード挿入溝９ａと、背部ケーシング１内のカード挿入孔５ａとが合致する。
【００４６】
一方、図６および図１０（ｂ）に示すように、キーを回してラッチＬを９０°回動させて施錠した際には、ラッチＬ背面部による押圧が解除され、カードキーストッパー９はツル巻バネ２１のバネ力によって内側方向に揺動し、これによって背部ケーシング１内のカード挿入孔５ａがカードキーストッパー９で閉鎖されるものとしてある。
【００４７】
次に、以上のように構成された本発明に係るカード式錠前装置の形態についての使用、動作の一例について説明する。
先ず、施錠操作について述べると、図４および図８（ａ）に示すように、最初は横スライド式ストッパー７の凹欠状の出入口７ｅにおける先端方向に位置する内側縁部に係合板６の下端係合部６ｃが係止されていることで、ラッチＬは立ち上がったまま、横に回動できない状態（施錠不可能な状態）となっている。
【００４８】
そして、開扉した状態で前記した正規のカードキーａをカード挿入部５の挿入孔５ａに上方から挿入する。このとき、カードキーａの下端角部が横スライド式ストッパー７の傾斜状の角部７ａに突き当たり、さらに上から強く押すことで最大降下位置に至り、カードキーａの挿入作業が終了する。
【００４９】
この横スライド式ストッパー７は、図５および図８（ｂ）に示すように、カードキーａの下端角部によって押され、横スライド式ストッパー７自体をコイルスプリング１７の弾発力に抗して外側の扉側方に向けてスライドされる。このとき、係合板６の下端係合部６ｃと横スライド式ストッパー７の他端アーム７ｃの内縁部との係合が外れるが、扉開閉検知ラッチ８が内側に移動していない場合は、扉開閉検知ラッチ８の凹溝部８ａ後方の上壁面に、係合板６の幅狭の下端部が係止されてラッチＬは回動しない。
【００５０】
さらに、この状態で閉扉すると、扉開閉検知ラッチ８の先端がロッカー本体の扉枠と突き当たり、コイルバネ１８に抗して後退する。そして、係合板６の下端部が凹溝部８ａ後方の上壁面から外れて凹溝部８ａ内側に係入する。これによって、図６に示すように、シリンダー錠Ｑのキー孔Ｋに差し込まれているキーを回し、ラッチを９０°回動させて施錠することができる。この施錠回転により、ラッチＬの施錠時用の係合凹部１５ａと、係合板６の上端係合部６ｂが係合する。
【００５１】
これと同時に、図１０（ｂ）に示すように、ラッチＬの背面部による押圧が解除され、カードキーストッパー９はツル巻バネ２１の弾発力によって内側に揺動し、これによって背部ケーシング１内のカード挿入部５の挿入孔５ａがカードキーストッパー９で閉鎖される。而して、カードキーａは施錠中、カードキー挿入孔５ａから抜くことはできない。これに対し、閉扉施錠時にはキー孔Ｋからのキーの抜脱が可能な状態となっており、このキーをキー孔Ｋから抜いて保管する。
【００５２】
また、この状態で開扉するには、キーをキー孔Ｋに差し込み、反対方向に回動して解錠するが、このとき、キーはキー孔Ｋから抜けない。つまり、開扉状態で且つ解錠時においてはキーの紛失防止のためにキーが抜脱不可能となる。
【００５３】
次に、解錠操作について説明すると、キー孔Ｋにキーを挿入して解錠方向に回動する。このとき、扉開閉検知ラッチ８は、この先端がロッカー本体の扉枠と突き当たってコイルバネ１８の弾発力に抗して後退している状態であるから、図６に示すように、係合板６の下端部が凹溝部８ａ後方の上壁面から外れて凹溝部８ａ内側に係入され、ラッチＬを９０°反対方向に回動して立ち上げ、解錠することができる。
【００５４】
そして、開扉すると、図５に示すように、扉開閉検知ラッチ８はコイルバネ１８の弾発力によって扉側方へ突出する。これによって、係合板６の下端部が凹溝部８ａ後方の上壁面に上昇して係止され、ラッチＬは施錠方向に回動できない状態となる。
【００５５】
これと同時に、ラッチＬ背面部によってカードキーストッパー９が押圧されることで自体が揺動し、カードキーストッパー９のカード挿入溝９ａと、背部ケーシング１内のカード挿入孔５ａとが合致する。而して、カードキーａ指先で摘んでを上方へ引き抜くことができる。
【００５６】
一方、カードキーａを引き抜いた際には、図４および図８（ａ）に示すように、横スライド式ストッパー７は、コイルスプリング１８の弾発力により後退し、横スライド式ストッパー７の凹欠状の出入口７ｅにおける先端方向に位置する内側縁部に係合板６の下端係合部６ｃが係止されることで係合板６の下方移動が阻止され、キーの施錠方向への回動ができない状態となる。このキーの施錠方向への回動を行うためには、前記した施錠操作の手順を繰り返えせば良い。
【符号の説明】
【００５７】
ａ                            カードキー
Ｋ                            キー孔
Ｌ                            ラッチ
Ｐ                            ラッチ規制手段
Ｑ                            シリンダー錠
Ｓ                            台座
１                            背部ケーシング
１ａ                          突起
２                            取付ベース
３                            窓部
４                            前枠
５                            カードキー挿入部
５ａ                          カード挿入孔
６                            係合板
６ａ                          溝部
６ｂ                          上端係合部
６ｃ                          下端係合部
６ｄ                          係合突起
７                            横スライド式ストッパー
７ａ                          角部
７ｂ                          一端アーム
７ｃ                          他端アーム
７ｄ                          係合突起
７ｅ                          出入口
８                            扉開閉検知ラッチ
８ａ                          凹溝部
８ｂ                          突起
９                            カードキーストッパー
９ａ                          カード挿入溝
（１１ａ、１１ｂ、…１１ｅ）  ネジ孔
１２                          ネジ
１３                          凹溝
１３ａ                        スライド溝
１３ｂ                        軸部
１４                          板バネ
１５ａ                        施錠時用の係合凹部
１５ｂ                        解錠時用の係合凹部
１６                          係止板
１７                          コイルスプリング
１８                          コイルバネ
１８ｃ                        係止孔
１９                          支持板
１９ａ                        アーム部
２０                          支持軸
２１                          ツル巻バネ
１０３                        取付ケース
１０５                        外ケース
１０６                        凹溝
１０７                        開口部
１０９                        内ケース
１１１                        錠本体
１１１ａ                      回転軸
１１４                        係合板
１１６                        ラッチ
１２４                        バネ
１２８                        係合片
１３３                        扉開・閉検知ラッチ
１３８                        圧縮バネ
１４３                        挿入凹部
【図１】
2010248826.tif 000003
【図２】
2010248826.tif 000004
【図３】
2010248826.tif 000005
【図４】
2010248826.tif 000006
【図５】
2010248826.tif 000007
【図６】
2010248826.tif 000008
【図７】
2010248826.tif 000009
【図８】
2010248826.tif 000010
【図９】
2010248826.tif 000011
【図１０】
2010248826.tif 000012
【図１１】
2010248826.tif 000013
【図１２】
2010248826.tif 000014
【図１３】
2010248826.tif 000015